(57)【要約】【課題】舗装用ブロックに現場で溝切り加工を行う際の手間が少なくて済み、舗装用ブロック及び連結部材の位置決めが容易になるような、施工性に優れた舗装用ブロックの目地構造を提供する。【解決手段】本発明の舗装用ブロックの目地構造は、目地を介して隣接する舗装用ブロック１の側部または角部に形成される嵌合溝２の平面形状が、側部においては略弓形、角部においては略扇形となるように形成される一方、これらの嵌合溝２に嵌め込まれる連結部材５が、略円形や略多角形等の平面形状を有して上記嵌合溝２に挿入される水平板６を具備し、この水平板６の上側または下側に目地幅を規定する直立板７または垂下板８が形成されたものである。【選択図】図１
2007077632.tif 000002
【特許請求の範囲】
【請求項１】
目地を介して隣接する舗装用ブロックの互いに対向する側部または角部に嵌合溝がそれぞれ形成され、これらの嵌合溝に連結部材が嵌め込まれて隣接する舗装用ブロック同士が位置決めされる舗装用ブロックの目地構造において、
上記嵌合溝は、隣接する舗装用ブロックの上面からの高さが一定で、かつ、平面形状が側部においては略弓形、角部においては略扇形となるように形成される一方、
上記連結部材は上記嵌合溝に挿入される水平板を具備し、この水平板の上側または下側に、目地幅を規定する直立板または垂下板の少なくともいずれか一方が形成されたことを特徴とする舗装用ブロックの目地構造。
【請求項２】
水平板の平面形状が、略円形若しくは略楕円形、角丸状の四角形、または六個以上の角部を有する略多角形であることを特徴とする請求項１に記載の舗装用ブロックの目地構造。
【請求項３】
舗装用ブロックの嵌合溝の開口部上縁に迎えテーパが形成されていることを特徴とする請求項１に記載の舗装用ブロックの目地構造。
【請求項４】
舗装用ブロックの底面周縁部が面取り加工されていることを特徴とする請求項１に記載の舗装用ブロックの目地構造。
【請求項５】
目地を介して隣接する舗装用ブロックの互いに対向する側部または角部に嵌合溝をそれぞれ形成する工程と、これらの嵌合溝に連結部材を嵌め込んで隣接する舗装用ブロック同士を位置決めする工程とを有する舗装用ブロックの施工方法において、
嵌合溝を形成する工程は、円板状の砥石を用いるディスクグラインダにより、隣接する舗装用ブロックの上面からの高さが一定で、かつ、平面形状が側部においては略弓形、角部においては略扇形となるように形成し、
舗装用ブロックを位置決めする工程は、上記嵌合溝に挿入される水平板と、この水平板の上側または下側に形成されて目地幅を規定する直立板または垂下板とを具備した連結部材により行うことを特徴とする舗装用ブロックの施工方法。
【発明の詳細な説明】
【技術分野】
【０００１】
本発明は、歩道や公共広場等に敷設される舗装用ブロックの目地構造と、その施工方法に関する。
【背景技術】
【０００２】
歩行面の仕上がりが平坦で、車椅子やベビーカーの走行に適し、かつ透水性にも優れる舗装方法として、砂を敷き固めた路盤面に矩形もしくは多角形状の舗装用ブロックを敷設する乾式工法が広く普及している。かかる舗装方法においては、敷設した舗装用ブロックがずれないように、個々の舗装用ブロックの位置を安定させることが重要であり、また、目地における段差を小さくして、舗装面を平滑に保持することも要求される。
【０００３】
そこで、例えば特許文献１には、目地を介して隣接する舗装用ブロックの両側部間に連結部材を介在させて、目地のずれを防ぐ技術が提案されている。この舗装方法に用いられる連結部材は、舗装用ブロックの側部に形成された水平方向の溝に嵌め込まれる水平板と、水平板の幅方向の略中央に立設された垂直板とを有する断面逆Ｔ字状の部材であり、水平板が隣接する舗装用ブロックの高さを揃え、垂直板が目地幅を一定に保持する役割をなすものである。
【特許文献１】特開２００４−１１３５２号公報
【発明の開示】
【発明が解決しようとする課題】
【０００４】
上記特許文献１記載のような目地構造を採用するためには、舗装用ブロックの側部に、連結部材の水平板を嵌め込むための溝を加工しなければならない。上記特許文献１記載の目地構造に係るような溝は、舗装用ブロックの側部に沿って一定幅で連続的に延びるものであるから、このように寸法の長い溝を加工するのは相当に手間がかかる。
【０００５】
また、施工現場で舗装用ブロックを敷き並べながら、溝に連結部材を嵌め込んで、隣接する舗装用ブロック相互の位置を調整する際には、連結部材も溝の方向に沿ってずれやすい。したがって、隣接する複数枚の舗装用ブロックと、その間に介在する複数個の連結部材とを全て精度良く位置決めするのは意外に困難である。
【０００６】
本発明は上記のような事情に鑑みてなされたもので、溝切り加工の手間が少なくて済み、かつ、舗装用ブロック及び連結部材の位置決めも容易になるような、施工性に優れた舗装用ブロックの目地構造及び施工方法を提供することを解決課題としている。
【課題を解決するための手段】
【０００７】
上記した課題を達成するため、本発明の舗装用ブロックの目地構造は、目地を介して隣接する舗装用ブロックの互いに対向する側部または角部に嵌合溝がそれぞれ形成され、これらの嵌合溝に連結部材が嵌め込まれて隣接する舗装用ブロック同士が位置決めされる舗装用ブロックの目地構造において、上記嵌合溝は、隣接する舗装用ブロックの上面からの高さが一定で、かつ、平面形状が側部においては略弓形、角部においては略扇形となるように形成される一方、上記連結部材は上記嵌合溝に挿入される水平板を具備し、この水平板の上側または下側に、目地幅を規定する直立板または垂下板の少なくともいずれか一方が形成されたことを特徴とする。
【０００８】
この発明は、舗装用ブロックの側部に形成する嵌合溝の平面形状を略弓形または略扇形としたので、舗装用ブロックの側面に沿って直線状に延びる従来の溝部に比べて加工寸法が短くて済み、円板状の砥石を用いたディスクグラインダで容易に溝切り加工することができる。連結部材には目地幅を規定する直立板または垂下板が形成され、これにより、目地幅が一定に揃えられるされるとともに、嵌合部に嵌め込まれる連結部材の姿勢も安定する。
【０００９】
さらに、本発明は、上記嵌合溝に挿入される水平板の平面形状が、略円形若しくは略楕円形、角丸状の四角形、または六個以上の角部を有する略多角形であることを特徴とする。水平板をこれらの形状とすることにより、略弓形または略扇形の嵌合溝に対する水平板の納まりが良好になり、若干の遊びも確保しつつ、連結部材と舗装用ブロックとがずれにくくなって、位置決め作業が容易になる。
【００１０】
舗装用ブロックの嵌合溝の開口部上縁には、迎えテーパが形成されていてもよい。これによると、路盤面に先に載置された舗装用ブロックの側部に、隣接する舗装用ブロックをやや斜めにしながら当てがうときに、先に載置された舗装用ブロックの側部に嵌め込まれた連結部材の水平板が、後から当てがう舗装用ブロックの嵌合溝に入りやすくなるので、連結部材がずれにくくなり、また、路盤面の砂の引きずりも少なくなって、施工性が向上する。
【００１１】
さらに、舗装用ブロックの底面周縁部を面取り加工すれば、舗装用ブロックの位置決め時にひきずられる砂の逃げ場ができるので、不陸も生じにくくなる。
【００１２】
また、本発明の舗装用ブロックの施工方法は、目地を介して隣接する舗装用ブロックの互いに対向する側部または角部に嵌合溝をそれぞれ形成する工程と、これらの嵌合溝に連結部材を嵌め込んで隣接する舗装用ブロック同士を位置決めする工程とを有する舗装用ブロックの施工方法において、嵌合溝を形成する工程は、円板状の砥石を用いるディスクグラインダにより、隣接する舗装用ブロックの上面からの高さが一定で、かつ、平面形状が側部においては略弓形、角部においては略扇形となるように形成し、舗装用ブロックを位置決めする工程は、上記嵌合溝に挿入される水平板と、この水平板の上側または下側に形成されて目地幅を規定する直立板または垂下板とを具備した連結部材により行うことを特徴とする。
【発明の効果】
【００１３】
本発明の舗装用ブロックの目地構造は、舗装用ブロックの側部に形成する嵌合溝を略弓形または略扇形としたので、舗装用ブロックの側部に沿って直線状に延びる従来の溝に比べて加工寸法が短くて済む。また、円板状の砥石を用いたディスクグラインダで、そのディスク形状のまま容易に溝切り加工することができるので、現場での加工手間も軽減される。
【００１４】
さらに、上記のような嵌合溝に合わせて、連結部材の水平板の形状を、略円形若しくは略楕円形、角丸状の四角形、または六個以上の角部を有する略多角形とすることにより、嵌合溝に嵌め込まれた水平板がずれにくくなって、舗装用ブロックの位置決め作業が容易になり、その精度も向上する。
【００１５】
そして、かかる目地構造を利用した施工方法を採用することにより、施工性及び仕上がり精度が向上する。
【発明を実施するための最良の形態】
【００１６】
以下、本発明の実施の形態について図を参照して説明する。
【００１７】
図１は本発明の一実施形態に係る舗装用ブロックの目地構造の説明図であり、（ａ）は平面図、（ｂ）は断面図である。例示の形態に係る舗装用ブロック１は矩形の平面形状をなし、縦横の目地が格子状に連続した、いわゆる芋目地状に敷設されている。
【００１８】
目地を介して隣接する舗装用ブロック１の互いに対向する側部及び角部には、舗装用ブロック１の上面からの高さが一定となる位置に嵌合溝２が形成される。嵌合溝２の平面形状は、舗装用ブロック１の側部においては略弓形、角部においては略扇形となっている。また、嵌合溝２の開口部上縁には、開口側に拡がる迎えテーパ３が形成されている。
【００１９】
かかる嵌合溝２は、工場にて、円板状の砥石をセットしたディスクグラインダ４によって加工される。円板状の砥石の厚みを、後述する連結部材５の水平板６の厚みに対応した厚みとすることにより、一回の溝切り操作で、砥石の径に応じた略弓形または略扇形の嵌合溝２を容易に加工することができる。なお、迎えテーパ３の加工は、例えば円錐状の砥石をグラインダ４に付け替えるなどして行うことができるが、水平な嵌合溝２と迎えテーパ３とを同時に加工できるような専用形状の砥石を用いて行ってもよい。
【００２０】
図２は、上記嵌合溝２に嵌め込まれる連結部材５の斜視図である。（ａ）は舗装用ブロック１の側部同士を位置決めする側部用の連結部材５を示し、（ｂ）は舗装用ブロック１の角部同士を位置決めする角部用の連結部材５を示す。これらの連結部材５は、比較的剛性の高い合成樹脂、あるいは鉄その他の金属により形成されている。いずれの連結部材５も、上記した舗装用ブロック１の嵌合溝２と合致する厚みの水平板６を有し、側部においてはその半分ずつ、角部においてはその１／４ずつが、隣接する舗装用ブロック１の嵌合溝２にそれぞれ嵌め込まれる。この水平板６により、隣接する舗装用ブロック１の高さが揃えられて上下方向のずれが拘束されるとともに、施工後の歩行荷重で段差が生じるのも防止される。
【００２１】
例示形態に係る連結部材５においては、水平板６の形状として略正六角形を採用している。これは、略弓形または略扇形に形成された嵌合溝２に対する納まりの良さを考慮してのことである。このような平面形状は、嵌合溝２と水平板６との間に適度の遊びを確保しつつ、水平板６が大きくずれるのを防ぐことができる点で、例えば矩形よりも有利である。また、嵌合溝２及び連結部材５の双方とも加工形状が単純で経済的であり、扱いやすいという利点もある。
【００２２】
水平板６の中心線位置における上側及び下側には、目地幅を規定するための直立板７及び垂下板８が突設されている。側部用の連結部材５は直線状に延びる１枚ずつの直立板７及び垂下板８を有し、角部用の連結部材５は十字状に交差する直立板７及び垂下板８を有している。直立板７及び垂下板８の側面視形状は、いずれも略矩形である。直立板７及び垂下板８の高さは、その合算寸法が舗装用ブロック１の厚さを超えない範囲で適宜に設定可能である。また、直立板７、垂下板８のいずれか一方のみでも目地幅を一定に揃えることは可能である。
【００２３】
なお、直立板７の高さと垂下板８の高さを等しくしておけば、現場で上下方向を問わずに使用することができ、施工性が向上する。また、いわゆる破れ目地用の連結部材５として、図２（ｃ）に示すようなＴ字状に交差した直立板７及び垂下板８を有するものも別途、用意されるのが望ましい。
【００２４】
舗装用ブロック１の敷設に際しては、図１（ｂ）に示すように、先に位置決めされた舗装用ブロック１の側部及び角部に連結部材５を嵌め込み、これに隣接する舗装用ブロック１を合わせてゆく。このとき、後から合わせる舗装用ブロック１は斜めの状態で連結部材５に当てがわれるが、嵌合溝２の開口部上縁に迎えテーパ３が形成されていることにより、水平板６が開口部上縁に引っ掛かかることなくスムーズに嵌め込まれる。
【００２５】
また、舗装用ブロック１を並べながら位置決めする際には、舗装用ブロック１の底面が路盤面の砂を多少引きずることになるが、例示の舗装用ブロック１は、その底面周縁部９が面取り加工されて砂の逃げ場となるように構成されているので、砂の引きずりによる不陸の発生を防ぐことができる。
【００２６】
図３〜図８は、本発明の他の実施形態に係る舗装用ブロック１の目地構造の例として、さまざまな目地パターンと、各目地パターンにおける連結部材５の配置及び形状を示した説明図である。各図において符号１は各種の平面形状を有する舗装用ブロックであり、各図中の丸囲みで示した箇所に連結部材５が嵌め込まれる。図６のような目地パターンでは、連結部材５の直立板７及び垂下板８は、直線状の部分の片側にＶ字状の部分を設けた形状となる。また、図７、図８のような目地パターンでは、連結部材５の直立板７及び垂下板８は三叉状に交差した形状となる。
【００２７】
図９は、嵌合溝２及び連結部材５の断面形状に関するさまざまな変形例を示す。各図において符号１は嵌合溝２の断面形状が異なる舗装用ブロックであり、符号５は、図示左側に示した形状の嵌合溝２にそれぞれ対応する連結部材である。
【００２８】
例示した嵌合溝２の平面形状は、いずれも略弓形または略扇形である。嵌合溝２の高さ位置は、舗装用ブロック１の上面から舗装用ブロック１の厚さの約２／３あたりにあるのが好ましい。このあたりの位置であれば、嵌合溝２の溝切り加工等によって舗装用ブロック１の側部や角部に割れが発生した場合でも、仕上面にほとんど影響が及ばないからである。嵌合溝２の迎えテーパ３は曲面状であってもよいし、開口部の上縁と下縁の両方に形成されていてもよい。連結部材５には直立板７と垂下板８が両方形成されていてもよいし、いずれか一方のみであってもよい。
【００２９】
図１０は、連結部材５の水平板６の平面形状に関する変形例を示す。水平板６は、平面視略弓形または略扇形に形成された嵌合溝２に対し、適度の遊びをもって、かつ、ずれにくい状態で挿入されるのが望ましい。かかる条件を満たす形状としては、（ａ）のような円形、（ｂ）のような楕円形、（ｃ）のような角丸状の四角形、あるいは（ｄ）のような多角形を挙げることができる。（ｃ）に示した角丸状の四角形については、角部のＲが、少なくとも辺長の１／４程度以上あるのが望ましい。（ｄ）の多角形については、例えば正八角形など、少なくとも六個以上の角部を有して均整のとれた多角形が実用的である。四角形の角部を欠いた形状も八角形と見做すことができる。多角形の角部にはＲが形成されていてもよい。いずれにせよ、線対称かつ点対称となる平面形状が、加工も容易であり、かつ直立板７や垂下板８もバランスよく配置することができて好適である。
【図面の簡単な説明】
【００３０】
【図１】本発明の実施形態に係る舗装用ブロックの目地構造の説明図であり、（ａ）は平面図、（ｂ）は断面図である。
【図２】上記目地構造において使用される連結部材の斜視図であり、（ａ）は側部用の連結部材、（ｂ）および（ｃ）は角部用の連結部材を示す。
【図３】本発明の他の実施形態に係る舗装用ブロックの目地パターンと連結部材の配置例を示した説明図である。
【図４】同じく、本発明の他の実施形態に係る舗装用ブロックの目地パターンと連結部材の配置例を示した説明図である。
【図５】同じく、本発明の他の実施形態に係る舗装用ブロックの目地パターンと連結部材の配置例を示した説明図である。
【図６】同じく、本発明の他の実施形態に係る舗装用ブロックの目地パターンと連結部材の配置例を示した説明図である。
【図７】同じく、本発明の他の実施形態に係る舗装用ブロックの目地パターンと連結部材の配置例を示した説明図である。
【図８】同じく、本発明の他の実施形態に係る舗装用ブロックの目地パターンと連結部材の配置例を示した説明図である。
【図９】本発明の他の実施形態に係る舗装用ブロックの嵌合溝及び連結部材の断面形状を例示した説明図である。
【図１０】本発明の他の実施形態に係る連結部材の平面形状を例示した説明図である。
【符号の説明】
【００３１】
１  舗装用ブロック
２  嵌合溝
３  迎えテーパ
４  ディスクグラインダ
５  連結部材
６  水平板
７  直立板
８  垂下板
９  底面周縁部
【図１】
2007077632.tif 000003
【図２】
2007077632.tif 000004
【図３】
2007077632.tif 000005
【図４】
2007077632.tif 000006
【図５】
2007077632.tif 000007
【図６】
2007077632.tif 000008
【図７】
2007077632.tif 000009
【図８】
2007077632.tif 000010
【図９】
2007077632.tif 000011
【図１０】
2007077632.tif 000012